(57)【要約】  【課題】製氷室内の清掃時のタオルなどの摩擦による静電気や、人体に帯電した静電気による瞬間放電（ＥＳＤ）が発生し、その放電エネルギーが印加された場合、赤外線センサーの誤動作や故障、又は、赤外線センサーの素子自体が破壊することで、製氷皿内の水の温度変化を赤外線センサーで検知できず、冷蔵庫の品質を低下するという課題を有していた。  【解決手段】赤外線センサー１３を取付ける赤外線取付ケース４７の一部に赤外線集光部材４８の側面と同一形状で貫通した集光開口部５１と、庫内側に向かって集光開口部５１の周囲に複数の突出した突起部５２を備えることで、静電気耐量を向上させ、赤外線センサー１３自体の破壊や誤動作を防止し、赤外線センサー１３の検知精度を向上させることができる。【選択図】図３
2010025531.tif 000002
【特許請求の範囲】
【請求項１】
複数の断熱区画で構成された断熱箱体と、前記断熱箱体を仕切る断熱仕切り部と、前記断熱仕切り部で仕切られた貯蔵室と、前記貯蔵室内に収納された収納物から放射された放射量を検知する温度検知部を有した赤外線センサーと、前記赤外線センサーに備えられた貫通口を有する赤外線集光部材とを有し、赤外線集光部材の前記貫通口と連通する突起開口部とを備えるとともに突起開口部の周囲に複数の突出した突起部を設けた冷蔵庫。
【請求項２】
突起部は突起開口部から外側に向かって赤外線取付ケースの表面に直角部を有さない形状で形成されたスロープ部を設けた請求項１に記載の冷蔵庫。
【請求項３】
赤外線集光部材の先端面は、赤外線取付ケースの貯蔵室側の外面と略同一面とした請求項１または２に記載の冷蔵庫。
【発明の詳細な説明】
【技術分野】
【０００１】
本発明は、赤外線センサーを利用した冷蔵庫に関するものである。
【背景技術】
【０００２】
近年、冷蔵庫の大容量化の需要が高まるにつれて、無効空間縮小による容積効率の向上を図った冷蔵庫や、使い勝手の観点からさまざまなレイアウトの冷蔵庫が発売されている。
【０００３】
その中で、従来から冷凍庫に設けられた製氷皿の温度を検知するのに、サーミスタを用いて測定を行っていた。例えば、製氷皿に溜められた水の温度を測定する場合は、製氷皿の下部に配置されたサーミスタで、製氷皿の水の温度を間接的に測定し、冷凍庫の冷却量を調整しながら、製氷皿の水が凍ったかを判断していた。しかしながら、このような冷凍庫では、実際に製氷皿の中に溜められた水の温度を測定していないので、実際に製氷皿に溜められた水が凍ったかどうかが分からず、製氷完了するまで冷却運転し、目的の温度まで冷却を行っていた。従って、製氷が完了するまでに時間を有するという課題があった。
【０００４】
そのため、製氷皿の真上に赤外線センサーを配設させることで、製氷皿に溜められた水が持つ熱エネルギーを赤外線の放射量として、赤外線センサーが検出することで、実際の水の温度を検知し、冷却運転を行うようにしていた（例えば、特許文献１参照）。
【０００５】
以下、図面を参照しながら上記従来の冷蔵庫を説明する。
【０００６】
図５は特許文献１に記載された従来の冷蔵庫の側面縦断面図である。また、図６は冷蔵庫の一部拡大側面断面図である。
【０００７】
図５、図６に示すように、冷蔵庫本体（図示せず）内の一部に冷凍庫（図示せず）が設けられ、その冷凍庫内の一部に製氷室１０１が設けられている。また、食品や氷等を取り出す、冷凍庫の扉１０２があり、製氷室内１０１の背面には、ファングリル１０３が設けられ、そのファングリル１０３の吹出部１０４から庫内に冷気が吹き出され、製氷室１０１内に設けられた製氷皿１０５の中の水１０６が冷却される。
【０００８】
次に製氷室内１０１の天井部分には、断熱材１０７が配設されており、製氷皿１０５の上方の断熱材１０７内に、赤外線検出装置１０８が配置されている。その赤外線検出装置１０８は、赤外線センサー１０９を覆う円筒ホルダ１１０の導光部１１１を通して、製氷皿１０５内に溜められた水から放射される放射量を赤外線センサー１０９で検出する。
【０００９】
そして、赤外線センサー１０９は、製氷皿１０５内の水１０６が冷却されて氷に変化するときの熱エネルギーの変化を捕らえて、製氷完了を判断し、冷凍庫の冷却動作を終了すると供に、製氷完了の表示を行っている。
【特許文献１】特開２００６−３０８５０４号公報
【発明の開示】
【発明が解決しようとする課題】
【００１０】
しかしながら、前記従来構成では、製氷室１０１内に、赤外線検出装置１０８が配置されているため、例えば、人体に帯電した静電気による瞬間放電（ＥＳＤ）や、製氷室１０１内の清掃時のタオルなどの摩擦による静電気が発生し、その放電エネルギーが印加された場合、赤外線センサー１０９の誤動作や故障、又は、赤外線センサー１０９の素子自体が破壊するので、赤外線センサー１０９による検知機能が働かずに機能不良となり、冷蔵庫の品質を低下するという課題を有していた。
【００１１】
本発明は、従来の課題を解決するもので、静電気耐量を向上させ、赤外線センサー自体の破壊や誤動作を防止すると共に赤外線センサーの周囲温度が変動する外乱影響（例えば扉開閉や熱い食品等）による突起部周辺の暖気溜まりを低減し、赤外線センサーの検知精度を向上した冷蔵庫を提供することを目的とする。
【課題を解決するための手段】
【００１２】
上記従来の課題を解決するために、本発明の冷蔵庫は、複数の断熱区画で構成された断熱箱体と、前記断熱箱体を仕切る断熱仕切り部と、前記断熱仕切り部で仕切られた貯蔵室と、前記断熱仕切り部に形成した凹部と、前記貯蔵室内に収納された収納物から放射された放射量を検知する赤外線センサーと、前記赤外線センサーの周囲を囲い、前記赤外線センサーに放射量を導く貫通口を備えた赤外線集光部材と、前記赤外線センサーを収納する赤外線取付ケースと、前記赤外線取付ケースに前記赤外線集光部材の側面と同一形状で貫通した集光開口部とを備え、前記凹部に前記赤外線取付ケースを埋設し、前記貯蔵室側に向かって前記集光開口部の周囲に複数の突出した突起部を備え、突起部と赤外線センサーとの間に一定の空間距離が設けられることになる。
【００１３】
これによって、静電気による赤外線センサーの誤検知や故障、又は、赤外線センサーの素子自体の破壊を防止する。
【発明の効果】
【００１４】
本発明の冷蔵庫によれば、赤外線センサーを取付ける赤外線取付ケースの一部に円筒ホルダと同形の開口部を備え、庫内側に向かって開口部の周囲に複数の突出した突起部を備え、突起部と赤外線センサーとの間に一定の空間距離を設けることで、静電気耐量を向上し、静電気による赤外線センサーの誤検知や故障、又は、赤外線センサーの素子自体の破壊を防止することができる。
【発明を実施するための最良の形態】
【００１５】
請求項１に記載の発明は、複数の断熱区画で構成された断熱箱体と、前記断熱箱体を仕切る断熱仕切り部と、前記断熱仕切り部で仕切られた貯蔵室と、前記貯蔵室内に収納された収納物から放射された放射量を検知する赤外線センサーと、前記赤外線センサーに備えられた貫通口を有する赤外線集光部材と、前記赤外線センサーを収納する赤外線取付ケースと、前記赤外線取付ケースに前記赤外線集光部材の前記貫通口と連通する集光開口部とを備えるとともに前記集光開口部の周囲に複数の突出した突起部を設けたことにより、前記貯蔵室内の清掃時の摩擦などの静電気が原因による、前記赤外線センサーの誤動作や故障、又は、前記赤外線センサー素子自体の破壊を防止することができる。
【００１６】
また、前記開口部の周辺に複数の前記突起部を備えたことで、前記赤外線センサーの周囲温度が変動する外乱影響（例えば扉開閉や熱い食品等）による前記突起部周辺の暖気溜まりを低減し、前記赤外線センサーの検知精度を向上することができる。
【００１７】
請求項２に記載の発明は、請求項１に記載の発明の冷蔵庫において、突起部から集光開口部の外側に向かって赤外線取付ケースの表面に直角部を有さない形状で形成されたスロープ部を設けたことにより、前記突起部の引っかかりによる傷害等の安全性を確保すると共に、前記スロープ部に沿って、前記赤外線センサー先端面に対流を導くことで、前記赤外線センサー周辺の暖気溜まりを抑制し、前記赤外線センサーとの温度勾配を低減することで、更に前記赤外線センサーの検知精度を向上することができる。
【００１８】
請求項３に記載の発明は、請求項１または２に記載の発明の冷蔵庫において、赤外線集光部材の先端面は、赤外線取付ケースの貯蔵室側の壁面と略同一面としたことにより、前記赤外線取付ケースと前記赤外線集光部材との段差をなくすことで、扉開閉による暖気の流入や、食品等を収納し、その食品から出る蒸気の暖気溜まりをなくすことで、扉を開けた場合でも温度変動が小さいため、急激な周囲温度の変化による上昇や降下などが原因による誤検知を抑えることができ、赤外線センサーの検知精度の安定性を向上させることができる。
【００１９】
以下、本発明の実施の形態について、図面を参照しながら説明する。なお、この実施の形態によってこの発明が限定されるものではない。
【００２０】
（実施の形態１）
以下、本発明の実施の形態について図面を用いて詳細に説明する。
【００２１】
図１は、本発明の実施の形態１における冷蔵庫の要部側面断面図である。図２は、本発明の実施の形態１における冷蔵庫の赤外線センサー取付部の側面断面図である。図３は、本発明の実施の形態１における冷蔵庫の赤外線センサー取付部の側面断面Ａ部の拡大図である。図４は、本発明の実施の形態１における冷蔵庫の赤外線センサー取付部の真上Ｂ方向から見た平面図である。
【００２２】
図１から図４において、断熱箱体１で構成された冷蔵庫本体２の貯蔵室の一部である冷凍室３は、上方の上部断熱仕切体４と下方の下部断熱仕切体５によって温度帯の異なる冷蔵室６と野菜室７とから区画されている。また、冷凍室３の開口部（図示せず）には、その開口部の左右端をつなぐ仕切体８が設けられている。
【００２３】
冷凍室３の背面に設けられた冷気生成室９には、冷気を生成する蒸発器１０と、冷気を冷蔵室６、冷凍室３、野菜室７にそれぞれ供給、循環させる送風機１１が配置され、蒸発器１０の下部空間には除霜時に通電される除霜用ヒータ１２が配置されている。また、冷凍室３の背面には冷気分配室１９が設けられており、冷気分配室１９に連続して冷気吐出口２１及び冷気吐出口２２が設けられている。
【００２４】
冷凍室３の開口部には、扉２３と扉２４が設けられており、冷凍室３からの冷気の流出が無いように冷凍室３を閉塞している。扉２３と扉２４はいずれも引き出し式の扉であり、食品を出し入れする場合は冷蔵庫手前側、すなわち図１で示すところの左側方向に引き出して使用される。また、扉２３及び扉２４の後方にはそれぞれ枠体２５、２６が設けられている。この枠体２５、２６上にはそれぞれ上段容器２７と下段容器２８と、下段容器２８の上部に置かれたスライド式の中段容器３２が載置されている。
【００２５】
上段容器２７の底面の赤外線センサー１３と対向する面である検知面には蓄冷材２９が載置されている。この蓄冷材２９は、一般的に冷凍される食品の凍結温度より低く、かつ、冷凍室３の温度よりも高い温度である−１５℃に融解温度を設定されている。また、蓄冷材２９の充填量としては、蓄冷材２９上に食品が投入、配置された場合でも完全に融解することのない量に設定されている。
【００２６】
また、冷凍室３の背面下部には冷気を吸い込み、蒸発器１０まで導くための冷気吸入口３０が設けられている。
【００２７】
また、蓄冷材２９上には食品３１が使用者の手によって載置、保存される。
【００２８】
赤外線センサー１３は、一般的に視野範囲にある物体から放射される赤外線量を検出し、電気信号に変換する赤外線受光部４０と、赤外線受光部４０の周囲温度の基準温度を測定し、電気信号に変換するサーミスタ４２とが内蔵された赤外線素子部４３で構成されている。
【００２９】
本実施の形態においては、食品３１の温度を検知することを目的としているが、赤外線センサー１３は食品３１の温度を検知すると同時に赤外線センサー１３の視野範囲内にあるものの温度を検知するので、冷凍室４の壁面や冷凍室４内収納される食品３１および蓄冷材２９などから放射される赤外線量を検出している。その際に赤外線受光部４０の周囲温度を基準温度として測定している。
【００３０】
また、赤外線素子部４３が電気的に接続されたワイヤー４６と、コネクタ４４と、プリント配線（図示せず）された基板４１とが電気的に接続され、冷蔵庫を制御する制御基板（図示せず）の配線４５と、コネクタ４４とが電気的に接続される。
【００３１】
そして、赤外線素子部４３は、サーミスタ４２の基準温度の電圧と、赤外線受光部４０の赤外線量の電圧とを制御基板（図示せず）に電圧を出力することで、検出した測定物の温度を算出し、算出した検知温度で、制御手段（図示せず）で判断を行う。
【００３２】
赤外線集光部材４８は、赤外線素子部４３と熱的に接する状態で赤外線素子部４３の周囲を覆って、基板４５と隙間なく設けられ、食品３１や蓄冷材２９以外から放射される外乱の赤外線を取り除き、検知強度を高めるために視野角θ°を制限する貫通口５０が赤外線受光部４０へ導くように設けている。このように集光機能を有するために本実施の形態においては、赤外線集光部材４８の貫通口５０の内壁面５０ａ先端部５０ｂから末端部５０ｃの高さを３ｍｍ以上とすることで、視野角が３０°〜６０°となるように設けられている。また、ここで、上段容器２７の高さを略１１０ｍｍとした場合は、視野角を略５０°とすることが望ましい。
【００３３】
また、ここで、貫通口５０は、検知する範囲の円内部において、中心が最も赤外線検知強度が強く、端に行くほど検知強度が弱くなる。そのため赤外線センサーの視野角をより絞ることで検知物の赤外線量の強度を上げることができ、対象物温度を確実に検出することができるが、視野角度の一部が貫通口５０の先端面に重なるため、先端部温度の影響を受け誤検知の要因となることにより、赤外線センサーの視野範囲内に位置する赤外線集光部材４８の少なくとも貫通口５０の内壁面５０ａは、例えば扉の開閉に伴う暖気の流入といった外乱による温度変動があった場合でも、そういった外乱に対する温度追従性を緩和して安定した検知ができるようにするのが望ましく、本実施の形態においては、赤外線集光部材４８の貫通口５０の内壁面５０ａの熱保持力を大きくするために、赤外線集光部材４８自体の熱保持力が高くなるように熱伝導性を高くかつ熱容量を大きくするように工夫している。
【００３４】
このように赤外線集光部材４８の熱保持力が高くなるように熱伝導性を高くかつ熱容量を大きくするために、従来の集光部材として一般的であった樹脂と比較して熱伝導性の高い材料である例えばアルミニウム、チタン、ステンレス、鉄、銅等の金属もしくはそれらを含む材料で形成されている。特に、軽量で、熱伝導率や熱容量が高く、冷凍室３内に一部表面が剥き出しされる観点からでは、耐腐食性の高いアルミニウムを主成分とするものが好ましい。
【００３５】
また、冷凍室３内に一部表面が剥き出して使用する場合は、使用者が庫内等を清掃する布巾等による摩擦や人体に帯電して発生する静電気による赤外線センサー１３の誤動作や素子自体の破壊を防止するために、電気的に絶縁し、熱伝導率や熱容量が高い粉体酸化物で、例えば、アルミナやシリカ、マグネシアの何れか１種類を主成分として、ＰＰＳ、ＡＢＳ、ＬＳＰ（液晶ポリマ）等の樹脂に分散して混合配合した材料を用いることで熱保持力を向上させることも可能であり、この場合には高熱伝導性で且つ電気絶縁性を兼ね備え、その配合比は、重量比率で粉体酸化物が８０％以上であるものが好ましく、電気絶縁性についても、一般の樹脂部材と同等の比抵抗で１．０×１０１４Ω・ｍ以上あり、家電製品に関する各種法令で定められている電気絶縁性を満足させることも可能である。
【００３６】
更に、貯蔵室内に収納する収納物を赤外線センサー１３で温度を検知する場合は、扉開閉による温度変動で赤外線集光部材４８の貫通口の内壁面５０ａ先端部５０ｂと末端部５０ｃとの温度勾配ができ易いので、粉体酸化物の重量比率を略８５％以上とすることで、熱伝導率が高くなり、熱伝導率は２Ｗ／ｍ・Ｋ以上で、且つ、単位質量あたりの熱容量は、７５０Ｊ／ｋｇ・℃以上とすることが望ましい。
【００３７】
また、本実施の形態では、さらに赤外線集光部材４８の熱保持力を向上させるために、赤外線集光部材４８の周囲を赤外線取付ケース４７の集光開口部５１で包囲することで、熱容量を向上し、赤外線集光部材４８の温度変動を更に低減させている。
【００３８】
この場合、赤外線取付ケース４７が赤外線集光部材４８の周囲を取り囲む断熱部材として機能しており、赤外線集光部材４８の外側表面が外気にさらされることを防止しているので、赤外線集光部材４８の外気と接触面積を低減させるとともに、一定温度の赤外線集光部材の温度変化を緩慢にすることで、外乱による温度変動に対する追従性をより緩和することができる。
【００３９】
次に、赤外線取付ケース４７は、略中心に位置する部分に赤外線集光部材４８の側面と同一形状で貫通した集光開口部５１が設けられ、その集光開口部５１の周囲に庫内側に向かって伸びる複数の突出した突起部５２が設けられている。そして、上段断熱仕切板４の略中心に位置する部分に一部形成された凹部４９と勘合するように、赤外線取付ケース４７が設けられている。
【００４０】
また、突起部５２の内円側には赤外線集光部材４８の貫通口５０と連通して開口している突起開口部５２ａを有している。この突起開口部５２ａは貫通口５０よりも広い面積で開口しているものとする。
【００４１】
また、ここで、例えば集光開口部５１の周囲を庫内側に向かって伸びる壁面で囲まれた円筒状の突出部で形成したとすると、赤外線集光部材４８と突出部に段差ができ、扉２３や扉２４の開閉による暖気の流入や、食品３１を収納することにより、食品３１から出る蒸気の暖気溜まりが円筒状の突出部５２の内部（内側）空間に発生し易くなり、暖気溜まりで、赤外線集光部材４８の先端面と末端面との温度勾配ができ、赤外線センサー１３の検知誤差の要因となるといった問題が生じるが、本発明ではこれを防止するために複数の突出部５２を隙間ｈ３を備えて設けることで、赤外線センサー１３の周囲温度が変動する外乱影響（例えば扉開閉や熱い食品等）による突出部５２周辺の暖気溜まりができ難いように設けられている。すなわち、複数の突出部５２が連続しておらず、それぞれ独立した形で赤外線取り付けケース４７に備えられている。
【００４２】
よって、本実施の形態では突出部５２は風が流れやすい形状としており、隣接する突起部５２同士の隙間ｈ３と突起開口部５２ａを挟んで対向する側に隙間ｈ３´を備えることで風の抵抗を低減し、より風が流れやすい形状としている。
【００４３】
本実施の形態では図４に示すように隣接する突起部５２同士は９０°の角度を有して赤外線センサー１３の赤外線素子４３を囲むように４箇所配置されており、十分に風が流れる形状となっている。また、図４に示すように冷蔵庫の前後方向Ｘに対して４箇所の突起部５２のうちの２箇所が水平方向となるように設置している。さらに、残りの２箇所は冷蔵庫の前後方向Ｘと直交する冷蔵庫の左右方向Ｙに対して水平となるように設置している。これは、突起開口部５２ａの直径ｄ１と赤外線集光部材４８の外径ｄ２との隙間を冷蔵庫の前後方向Ｘに沿って冷気が流れる際に、例えば、ＸもしくはＹに対して３０°や４５°といった角度を有するように設置した場合と比較して突起開口部５２ａの直径ｄ１と赤外線集光部材４８の外径ｄ２との隙間においての風路抵抗が少なくなる構成である。
【００４４】
すなわち、突起部５２は突起部５２の内側空間である突起開口部５２ａ直径ｄ１上に連続しておらず、断続的に複数備えられていることで、より風路抵抗を少なくすることが可能となる。さらに、突起部５２は突起部５２の内側空間である突起開口部５２ａ直径ｄ１上に点接触で位置している。具体的には突起開口部５２ａの直径ｄ１上は半円径となっている突起部５２の先端部のみが位置している。さらに、突起部の先端の半円部分と連通する突起部５２の直線断面の最も内側の直径ｄ３に対しても本実施の形態では突起部５２が直線断面の最も内側の直径ｄ３に対して１／４程度を占めていることとなっている。
【００４５】
そして、凹部４９以外の上段断熱仕切板４の貯蔵室である冷凍室３側方向の壁面４ａと、赤外線取付ケース４７の冷凍室３側の壁面である外面４７ａと、赤外線集光部材４８の先端面４８ａが略同一面状に設けられ段差を少なくすることで、扉２３、扉２４の開閉状態があっても、冷凍室３の天井面の上段断熱仕切板４に沿って風が流れやすく、暖気溜まりで赤外線集光部材４８の先端面と末端面との温度勾配ができ難いように設けられている。
【００４６】
このように、突起部５２が形成されている赤外線取付けケース４７の冷凍室３側の外面４７ａと赤外線集光部４８の先端面４８ａが同一面状に設けられていることは、すなわち突起部５２が存在しない突起部５２同士の隙間ｈ３に当たる部分は赤外線集光部４８の先端面４８ａが同一面状に設けられていることとなり、風が流れる際の抵抗が少なくかつ暖気だまりが出来にくい形状となっている。
【００４７】
この場合、赤外線センサー１３が取付けられる貯蔵室の天面では突起部５２のみが天面側の壁面よりも突出している構成となっている。
【００４８】
そして、突起部５２を設けることで、清掃時などのタオルが直接赤外線センサー１３に触ること防止し、タオルの摩擦による静電気や、人体に帯電した静電気の瞬間放電による赤外線センサー１３の誤動作や故障、又は、赤外線センサー１３の赤外線素子４３の破壊を防止することができる。
【００４９】
特に、本実施の形態では突起部５２は赤外線集光部材４８とは別部材で形成することによって、赤外線センサー１３の最も貯蔵室側に位置するために使用者に触れられる可能性がある突起部５２が直接赤外線センサー１３に接することなく介在部材として赤外線集光部材４８を介して突起部５２と赤外線センサー１３とが配置されていることで、使用者が突起部５２に触れることによって発生する静電気や、人体に帯電した静電気の瞬間放電による赤外線センサー１３の誤動作や故障、又は、赤外線センサー１３の赤外線素子４３の破壊を防止することができる。
【００５０】
上記のように、赤外線集光部材４８の外乱による温度変動に対する追従性をさらに緩和するために、本実施の形態では赤外線センサー１３の視野範囲内に位置する突出部５２の形状を工夫して、突出部５２周辺の暖気溜まりができ難いため、より赤外線センサー１３の検知精度を向上させることが可能となる。
【００５１】
また、突起部５２は赤外線集光部材４８とは別部材で形成することによって、別の材料とすることができ、突起部５２は赤外線集光部材４８と比較して熱伝導性の低い材料で形成することが望ましく、それによって突起部５２の熱を赤外線集光部材４８へと伝熱させることを防ぎ、より赤外線集光部材４８の温度が安定することによって、赤外線センサー１３の検知精度を向上させることが可能である。
【００５２】
また、一般に人体に帯電する帯電量は、１０００Ｖを超えることがあり、一定の空間距離ｈ２を６ｍｍ以上とすることにより、使用者が仮に赤外線センサー１３に触れようとしても、指が入らない形状となるので、より使用者の安全性が高く赤外線センサー１３の視野角度が突起部５２と重ならない範囲では、空間距離ｈ２を６ｍｍが好ましく、突起部５２の内径である突起開口部５２ａの直径ｄ１をφ６ｍｍ以内としたことで、垂直方向からの指の入り込みを防止することに加え、隣接する突起部５２同士の隙間ｈ３の寸法を４ｍｍ以下としたことで、側面方向からの指の入り込みが防止でき冷蔵庫の実使用上において十分な絶縁距離を確保することが可能である。
【００５３】
更に、突起部５２の内円にある突起開口部５２ａから側面方向に伸び、赤外線取付ケース４７の表面に直角部分を有さず曲線で形成されたスロープ部５３を十字状に設けることで、清掃時などのタオル等の引っかかりや、貯蔵室内に収納された食品３１などが突起部５２に引っかかることでの、食品３１の傷みや、直接突起部５２に当たることによる傷害等を防止し、更にスロープ部５３を設けることで、扉２３、扉２４の開閉状態があっても、冷凍室３の天井面の上段断熱仕切板４を通って、スロープ部５３に風が流れやすく、暖気溜まりで赤外線集光部材４８の先端面と末端面との温度勾配が更にでき難いように設けられている。このようにスロープ部とは直角部を有さない形状で形成され、曲線によって形成されていることで引っかかりがすくない形状とする。
【００５４】
以上のように構成された冷蔵庫について、以下その動作、作用を説明する。
【００５５】
まず、電源投入後、冷凍サイクル（図示せず）の運転が開始され、蒸発器１０に冷媒が流通して冷気が生成される。生成された冷気は送風機１１によって冷気分配室１９に送られ、冷気吐出口２１と冷気吐出口２２から分配されて冷凍室３内に吐出される。
【００５６】
冷凍室内３に吐出された冷気により冷凍室３が所定の温度まで冷却され、同時に蓄冷材２９も冷却される。この時、冷凍室３は食品をある一定の期間冷凍保存できる温度、例えば−２０℃に温調されているが、蓄熱材２９は−１５℃に融解温度を設定されたものを用いるため、冷凍室３が十分に冷却され一定時間経過した後では蓄冷材２９は完全に凍結している状態となり、冷却室３内を冷却した冷気は冷気吸入口３０から冷気生成室９に入り、蒸発器１０によって再び冷却される。
【００５７】
赤外線センサー１３の温度検出は、例えば、基準温度となる赤外線センサー１３の周囲温度を２５℃とした時に赤外線センサー１３から出力される電圧をＶ、サーミスタ４２で、赤外線受光部４０の周囲温度を測定する温度をＳとし、測定範囲を赤外線受光部４０で赤外線量を測定して、赤外線量の平均温度をＢとした場合は、「Ｖ＝α（Ｂ＾４−Ｓ＾４）」の関係式で表せる。ここでのαは係数である。
【００５８】
従って、赤外線センサー１３は、周囲温度Ｓと赤外線量の平均温度Ｂとの温度差がなければ、出力される電圧Ｖの値が０に近づき、基準となる温度が測定範囲の温度Ｓになり、温度差が大きければ、赤外線受光部４０で検出している赤外線量が多くなり、出力される電圧も大きくなる。
【００５９】
よって、仮に温かい食品が投入された場合に、基準温度となる赤外線センサー１３の周囲温度Ｓもそれに伴って大きくなった場合には、周囲温度Ｓと平均温度Ｂとの差が小さくなり、温かい食品の絶対温度が高かったとしても相対的に温度の高い食品が投入されたと検出できず、赤外線センサー１３の検知精度が低下してしまう。
【００６０】
次に扉２３が閉時の赤外線センサー１３の検出温度は、赤外線センサー１３と対向する側に備えられた検知面である上段容器２７の底面に据置された蓄冷材２９の表面温度を含めて検出する。このように赤外線センサー１３が検知する面を蓄冷機能を有する蓄冷材２９で形成したことで、例えば、暖気の流入等の外乱があった場合でも、赤外線センサーの検知面も熱保持力が高く外乱に対する温度追従性を緩和することができるので、より外乱による温度変動に影響を受けにくく、安定した温度を保持することができるので、より高い検知精度を得ることができる。
【００６１】
このように、本実施の形態においては、赤外線センサー１３の視野範囲に位置するものである赤外線集光部材４８の貫通口５０の内壁面５０ａと赤外線センサー１３と対向する側に備えられた検知面である上段容器２７の底面との両方を熱保持力の大きい部材で形成することによって、外乱による一時的な温度変動が生じた場合でも、赤外線センサーの視野範囲内に位置する部分の温度追従性を緩和することができるので、赤外線センサー１３が温度検知する目的物である食品３１の温度をより正確に検知することが可能となる。
【００６２】
さらに、赤外線集光部材４８の貯蔵室側に備えられた突起部５２の内円側には赤外線集光部材４８の貫通口５０と連通して開口している突起開口部５２ａを有しており、この突起開口部５２ａは貫通口５０よりも広い面積で開口しているものとすることで、赤外線センサー１３の視野範囲に位置する突起部５２をより小さくすることで、突起部５２の温度を赤外線センサー１３が検知することによる検知精度の低下を防止し、さらに突出部５２周辺の暖気溜まりができ難い形状に工夫することで、より赤外線センサー１３の検知精度を維持しながら、使用者が触れた場合や静電気が発生した場合の赤外線センサーの故障を防止することでより信頼性の高い赤外線センサーを備えた冷蔵庫を提供することが可能となる。
【００６３】
また、本実施の形態では突起部５２は冷蔵庫の前後方向Ｘ（前後方向Ｘは冷気が流れる風路方向である）に対して４箇所の突起部５２のうちの２箇所が水平方向となるように設置している。さらに、残りの２箇所は冷蔵庫の前後方向Ｘと直交する冷蔵庫の左右方向Ｙに対して水平となるように設置している。これは、突起開口部５２ａの直径ｄ１と赤外線集光部材４８の外径ｄ２との隙間を冷蔵庫の前後方向Ｘに沿って冷気が流れる際に、例えば、ＸもしくはＹに対して３０°や４５°といった角度を有するように設置した場合と比較して突起開口部５２ａの直径ｄ１と赤外線集光部材４８の外径ｄ２との隙間においての風路抵抗が少なくなる構成である。
【００６４】
これは、発明者が実際に本実施の形態のように４箇所の突起部を備えたものをさまざまな角度で設置して赤外線集光部材４８の温度を測定する実験を行った際に、本構成が最も赤外線集光部材４８の温度変動が少ない構成であった結果から導き出したものである。
【００６５】
また、本実施の形態ではさらに、突起部５２の内側空間である突起開口部５２ａの直径ｄ１上には突起部がほぼ点接触をしている構成となっており、具体的には突起開口部５２ａの直径ｄ１上は半円径となっている突起部５２の先端部のみが位置している。さらに、突起部の先端の半円部分と連通する突起部５２の直線断面の最も内側の直径ｄ３に対しても本実施の形態では突起部５２が直線断面の最も内側の直径ｄ３に対して１／４程度を占めていることとなっている。なお、本実施の形態ではこの突起部５２が直線断面の最も内側の直径ｄ３に対して１／４程度を占めているものとしたが、実験によると、１／３以下であれば暖気溜まりが発生しにくいため、場合によっては突起部５２が直線断面の最も内側の直径ｄ３に対して少なくとも１／３以下とするこが好ましい。
【００６６】
使用者が食品３１を収納する時は、例えば、扉２３が引き出され、この時は、赤外線センサー１３の温度検出は、下段容器２８内の温度を検出する。そして、扉２３が開いた状態となり、外気の暖気が扉２３の開口面から流入し、冷凍室３の天井面の上段断熱仕切板４を通って、スロープ部５３に沿って暖気が流れ、赤外線取付ケース４７の外面と、赤外線集光部４８の先端面が同一面状になるため、扉を開けた場合でも、スロープ部５３に風が流れるため、暖気溜まりによる、温度変動が小さく、急激な周囲温度の変化による上昇や降下などが原因による誤検知を抑えることができ、赤外線センサー１３の検知精度の安定性を向上させることができる。
【００６７】
また、冷凍室３などの庫内清掃する場合は、タオル等の摩擦によって静電気が帯電し、帯電した静電気や、季節によって、空気が乾燥した時期（例えば、秋から春）に人体に静電気が溜まり易い状態で、赤外線センサー１３に触れると、指先やタオルの先端から瞬間放電が発生する。そして、その放電エネルギーが印加された時に、赤外線素子４３に誤ってノイズが入り込むことで、赤外線センサー１３の誤動作や、赤外線素子４３自体が静電気耐圧を耐えられなくなる事で、赤外線素子４３内部の断線やショートが発生する原因がある。
【００６８】
従って、赤外線センサー１３の先端面と同一面の集光開口部５１の周囲を庫内側に向かって、一部伸びる複数の突起部５２を設けることで、一定の空間距離を確保し、静電気による赤外線センサー１３の誤動作や故障、又は、赤外線センサー１３の破壊を防止すると供に指の入り込みによる電気部品（赤外線素子４３）を直接触ることを防止することが可能である。
【００６９】
以上のように、本実施の形態１においては、複数の断熱区画で構成された断熱箱体と、断熱箱体を仕切る断熱仕切り部と、断熱仕切り部で仕切られた貯蔵室と、断熱仕切り部に形成した凹部と、貯蔵室内に収納された収納物から放射された放射量を検知する赤外線センサーと、赤外線センサーの周囲を囲い、赤外線センサーに放射量を導く貫通口を備えた赤外線集光部材と、赤外線センサーを収納する赤外線取付ケースと、赤外線取付ケースに赤外線集光部材の側面と同一形状で貫通した集光開口部とを備え、凹部に赤外線取付ケースを埋設し、貯蔵室側に向かって集光開口部の周囲に複数の突出した突起部を設けたことにより、貯蔵室内の清掃時の摩擦などの静電気が原因による、赤外線センサーの誤動作や故障、又は、赤外線センサー素子自体の破壊を防止することができる。
【００７０】
また、開口部の周辺に複数の突起部を備えたことで、赤外線センサーの周囲温度が変動する外乱影響（例えば扉開閉や熱い食品等）による突起部周辺の暖気溜まりを低減し、赤外線センサーの検知精度を向上することができる。
【００７１】
また、赤外線センサーの先端面から赤外線取付ケースの突起部迄の距離を６ｍｍ以上の高さを設けたことにより、家電製品に関する各種法令で定められている電気部品（赤外線センサー）との絶縁距離を確保するすると共に、一般に人体に帯電する帯電圧は、１０００Ｖを超えることがあり、一定の空間距離を確保することで、人体に帯電した静電気から瞬間放電が発生し、その放電エネルギーが印加された場合でも、赤外線センサーの誤動作や故障、又は、赤外線センサーの素子自体の破壊を更に防止することができる。
【００７２】
また、集光開口部の周囲に複数突出した突起部の内径をφ６ｍｍ以下としたことにより、突起部内側の垂直方向からの指の入り込みによる電気部品（赤外線センサー）を直接触ることを防止することができる。
【００７３】
また、突起部は、開口部の周囲に等間隔で配設され、突起物の間隔を４ｍｍ以下としたことにより、突起部内部の側面方向からの指の入り込みによる電気部品（赤外線センサー）を直接触ることを防止することができる。
【００７４】
また、突起部から集光開口部の外側に向かって赤外線取付ケースの表面に形成されたスロープ部を設けたことにより、突起部の引っかかりによる傷害等の安全性を確保すると共に、スロープ部に沿って、赤外線センサー先端面に対流を導くことで、赤外線センサー周辺の暖気溜まりを抑制し、赤外線センサーとの温度勾配を低減することで、更に赤外線センサーの検知精度を向上することができる。
【００７５】
また、赤外線集光部材の先端面は、赤外線取付ケースの貯蔵室側の外面と略同一面としたことにより、赤外線取付ケースと赤外線集光部材との段差をなくすことで、扉開閉による暖気の流入や、食品等を収納し、その食品から出る蒸気の暖気溜まりをなくすことで、扉を開けた場合でも温度変動が小さいため、急激な周囲温度の変化による上昇や降下などが原因による誤検知を抑えることができ、赤外線センサーの検知精度の安定性を向上させることができる。
【００７６】
なお、本実施の形態においては、凹部４９以外の上段断熱仕切板４の貯蔵室である冷凍室３側方向の壁面４ａと、赤外線取付ケース４７の冷凍室３側の壁面である外面４７ａと、が略同一面状に設けられているものとしたが、赤外線取付ケース４７の冷凍室３側の壁面である外面４７ａが冷凍室３側方向の壁面４ａよりも貯蔵室側に突出していてもよく、このように、壁面４ａよりも赤外線取付ケース４７の外面４７ａが凸形状を備えることで、扉２３、扉２４の開閉状態があっても、より赤外線取付けケース４７の突出部周辺に暖気溜まりができるのを防ぐことができ、赤外線集光部材４８の先端面と末端面との温度勾配ができ難いように設けることが可能となる。また、この場合は少なくとも突起部５２が備えられている取り付け部４７ｂ付近のみが凸形状を備えることも可能であり、壁面４ａと赤外線取付ケース４７の外面４７ａが同一面上にあり、取り付け面４７ｂのみが滑らかに突出しているものでも良く、その場合には突出部５２の取り付け面４７周辺の剛性をより高めることができ、より品質の高い突出部５２を備えた非接触センサーを有した冷蔵庫を実現することができる。
【産業上の利用可能性】
【００７７】
本発明にかかる冷蔵庫は、赤外線センサーを取付ける赤外線取付ケースの一部に突起部及びスロープ部を形成して、赤外線素子部と一定の空間距離を備えることで、静電気による赤外線センサーの誤検知や故障、又は、赤外線センサーの赤外線素子の内部破壊を防止し、更に突起部の周囲の外乱影響（例えば扉開閉や熱い食品による温度変動）を受けず検知精度を向上することができ、且つ、家電製品に関する各種法令で定められている電気絶縁性を確保し、製品品質を向上させると共に家庭用冷蔵庫のみならず、業務用冷蔵庫や周囲影響が大きい環境下の測定機器などの用途にも適用できる。
【図面の簡単な説明】
【００７８】
【図１】本発明の実施の形態１における冷蔵庫の要部側面断面図
【図２】本発明の実施の形態１における冷蔵庫の赤外線センサー取付部の側面断面図
【図３】本発明の実施の形態１における冷蔵庫の赤外線センサー取付部の側面断面Ａ部の拡大図
【図４】本発明の実施の形態１における冷蔵庫の赤外線センサー取付部の真上Ｂ方向から見た平面図
【図５】従来の冷蔵庫の側面縦断面図
【図６】従来の冷蔵庫の一部拡大側面断面図
【符号の説明】
【００７９】
１      断熱箱体
２      冷蔵庫本体
３      冷凍室（貯蔵室）
４      上部断熱仕切板
５      下部断熱仕切板
６      冷蔵室（貯蔵室）
７      野菜室（貯蔵室）
８      仕切体
９      冷気生成室
１０    蒸発器
１１    送風機
１２    除霜用ヒータ
１３    赤外線センサー
２１    冷気吐出口
２２    冷気吐出口
２３    扉
２４    扉
２５    枠体
２６    枠体
２７    上段容器
２８    下段容器
２９    蓄冷材
３０    冷気吸入口
３１    食品
３２    中段容器
３３    冷気吐出口
４０    赤外線受光部
４１    基板
４２    サーミスタ
４３    赤外線素子
４４    コネクタ
４５    配線
４６    ワイヤー
４７    赤外線取付ケース
４７ａ  赤外線取付ケースの貯蔵室側の外面
４８    赤外線集光部材
４８ａ  赤外線集光部材４８の先端面４８ａ
４９    凹部
５０    貫通口
５１    集光開口部
５２    突起部
５２ａ  突起開口部
５３    スロープ部
【図４】
2010025531.tif 000003
【図１】
2010025531.tif 000004
【図２】
2010025531.tif 000005
【図３】
2010025531.tif 000006
【図５】
2010025531.tif 000007
【図６】
2010025531.tif 000008